(57)【要約】【課題】      高齢者、女性でも持ち運びが容易となる携帯用ローラ付きバックを考案すること。当該考案により、より安全で容易な買い物を可能とすること。【解決手段】  袋の側面にボタンを付け（図４）、身長にあわせた長さ調節を可能とする。身長にあわせた調節が可能となっているため、底に付与した４つのローラーが地面に常に接し、重い荷物の持ち運びが容易となる。底に付与した４つのローラは交互に設置されている為（図８）、底に縫い付けてあるアメリカンホックでとめることによりコンパクトに折りたたむことができ、小さなバックのような形態になる。（図１１）。【選択図】図３
0003125783.tif 000002
【実用新案登録請求の範囲】
【請求項１】
高齢者、女性でも安全容易に使用可能となる、便利携帯ローラー付バック。当該バックは下記特徴をもつ。
軽く、洗濯可能なナイロン素材。総重量３５０グラム（ローラー含む）。持手部分の長さ調節がボタンによって可能であり、身長に合わせた使用が可能となる。調節により、キャリーローラーバック、手提げバック、ショルダーバックとなる。ボタン部分は左右２個づつ、縦に３個、片面に合計６個設ける。ローラーは取り外し可能。底板は段ボール、薄いプラスチック等の板を使用。板に穴をあけローラをネジにより固定する。高齢者、女性でも持ち運びが容易であり、ショルダーバックへの収納が可能となるコンパクトサイズ。もち手の布ベルト、ボタンにより折り畳んだ際に固定可能となり、小さなバックのような形態となる。
従来のような大仰な取っ手をもったバックとは異なるため。安全性の確保が可能となる。
【考案の詳細な説明】
【技術分野】
【０００１】本考案は、日常の買い物に使用する軽く、持ち運びが出来、折りたたみの出来るローラー付バックに関するものである。
【技術背景】
【０００２】バックについては、様々な形態のものが市場に出回っている。
【考案の開示】
【考案が解決しようとする課題】
【０００３】
【０００４】従来、袋ものについては、大小様々なものが出回っている。特にキャリアつきのものに焦点をあて考察してみるに、大きなしっかりとしたものが多く、柄の長いいささか大仰なものが多い。柄が長く大仰なため、始めから買い物という目的の場合にはともかく、持ち運び等の日常使用にはいささか不便であり、且つ歩行に関して危険であることが多いように思われる。
【考案を解決するための手段、効果】
【０００５】昨今の高齢化社会、又日常使用する対象が主に女性であることを鑑みるに、よりこぶりで使用し易いバックがあることが望ましい。又、買い物という目的以外の外出の際、女性の場合は予期せぬ買い物により荷物が過多になることが多い為、持ち運びの出来るショルダーバックに入る程度のキャリー付バックは非常に有用な物と考える。
【考案を実施するための最良の形態】
【０００６】本考案は、上記の問題を解決すべく提案するものである。従来のような固定化され形の変えられない大きなキャリー付バックではなく、持ち運び、折りたたみがきく、ローラー付のバックで、かつボタンにより、持つ人の身長に合わせた仕様とすること。
【実施例】
【０００７】側面へのボタンと布ベルトの付与。
身長により調整が効くようボタンを側面に付与し、位置の調節を出来るようにした。ボタンの調整により、ローラーを使用したい場合、足に沿っての歩行を可能とする。ボタンの位置の調節により、ショルダーサイズ、手持ちサイズにも調整可能。又、ボタンにそる形で強度の高い布ベルトを縫い付けることにより、袋全体の強度も高くする。ボタンや布ベルトには様々の色を使用し、袋全体を女性向きの楽しい持ち物とする。【０００８】底プレートとキャリ−ローラの付与。
底プレートには簡易なダンボール等の厚紙、薄いプラスチックの板を使用。その部分にキャリーローラーをつける。当該ローラーはプレートに穴を開けねじで固定。当該ねじは容易に取り外したが可能となっており、通常の手提げ袋としての使用も可能となっている。収納に関して言えば、ねじがついている場合、除いた場合でも、ショルダーバックへの収納は可能であるが、除いた場合は手のひらサイズの袋となり非常にコンパクトである。又、ローラーがついたままでも、ローラーは交互に付けられているため、内側に折込アメリカンフックをとめることにより、収納は容易である。【０００９】表面部分のポケット。
買い物により既に両手がふさがっている場合を想定し、手持ちのショルダーバックから財布等を持ち出さずにすむよう、キャリーバックに小さいなポケットを付与。このポケットに小銭や切符の収納をすることにより、両手がふさがれていた場合の煩雑さを緩和するこが可能となる。【００１０】布の素材。
手軽で使用するということを最大のメルクマールとしている為、洗濯が容易に可能となるようナイロンを利用。【００１１】収納時。
袋を折りたたんで収納する場合、肩にかける際利用した布ベルトを収納用のバンドとして利用できる形態とする。「０００８」にて説明したとおりローラーを内側に折込収納し、布ベルトとボタンで固定することによりコンパクトで携帯に便利な形となる。
【図面の簡単な説明】
【００１２】
【図１】布（イ）はナイロン。ベルト布（ホ）、ボタン（ロ、ハ、二）、ポケット（ヘ）、ローラーをつけた全体図。
【図２】
0003125783.tif 000003
【図３】ベルト布（ホ）ボタン（ロ）を調節し、ショルダーサイズにした場合。
【図４】ベルト布（ホ）の部分で、２番目のボタン（ハ）を調節し、ローラーを使用して歩く長さにした場合。
【図５】３番目のボタン（二）を調整し、手提げサイズにした場合。
【図６】手持ち部分を長くした場合の側面図。
【図７】底の布を貫通し、底プレートにローラーを固定した図面。
【図８】キャリーローラーをつけた図面。ローラーは交互に（チ）たたむ時の為にアメリカンボタン（リ）をつける。
【図９】ネジの部分を補うための底プレート。
【図１０】折りたたんだ際に、底から見た図。ローラーが収納され、アメリカンボタンで留められている。
【図１１】折りたたんだ図。ベルト布とボタンで固定し、携帯に便利なコンパクトな小さなバックの形となったもの。
【図１】
0003125783.tif 000004
【図２】
0003125783.tif 000005
【図３】
0003125783.tif 000006
【図４】
0003125783.tif 000007
【図５】
0003125783.tif 000008
【図６】
0003125783.tif 000009
【図７】
0003125783.tif 000010
【図８】
0003125783.tif 000011
【図９】
0003125783.tif 000012
【図１０】
0003125783.tif 000013
【図１１】
0003125783.tif 000014
【手続補正書】
【提出日】平成18年8月4日(2006.8.4)
【手続補正１】
【補正対象書類名】実用新案登録請求の範囲
【補正対象項目名】全文
【補正方法】変更
【補正の内容】
【実用新案登録請求の範囲】
【請求項１】
底面に４つのローラーが着脱可能に取り付けられた袋状のバッグ本体と、前記バッグ本体に着脱可能な２本の布ベルトとを備え、
前記バッグ本体には、その正面及び背面の各々に、水平方向に対をなすボタンが高さ方向に一定の間隔で３対配列され、
各々の前記布ベルトの各々の端部には、高さ方向に配列された３つの前記ボタンに対応する位置に、前記ボタンに係合する３つのボタンホールが形成され、
かつ、前記４つのローラーは、前記バッグ本体の底部を前記正面と前記背面との間の中心線で折り畳んだ場合に、互いに重ならない位置に配置されていることを特徴とするローラー付き携帯バッグ。
【手続補正２】
【補正対象書類名】明細書
【補正対象項目名】全文
【補正方法】変更
【補正の内容】
【考案の詳細な説明】
【技術分野】
【０００１】
本考案は、日常の買い物に使用する軽く、持ち運びが出来、折りたたみの出来るローラー付バッグに関するものである。
【背景技術】
【０００２】
バッグについては、様々な形態のものが市場に出回っている。
【考案の開示】
【考案が解決しようとする課題】
【０００３】
従来、袋ものについては、大小様々なものが出回っている。特にキャリアつきのものに焦点をあて考察してみるに、大きなしっかりとしたものが多く、柄の長いいささか大仰なものが多い。柄が長く大仰なため、始めから買い物という目的の場合にはともかく、持ち運び等の日常使用にはいささか不便であり、且つ歩行に関して危険であることが多いように思われる。
【０００４】
一方、昨今の高齢化社会、又日常使用する対象が主に女性であることを鑑みるに、よりこぶりで使用し易いバッグがあることが望ましい。又、買い物という目的以外の外出の際、女性の場合は予期せぬ買い物により荷物が過多になることが多い為、持ち運びの出来るショルダーバッグに入る程度のキャリー付バッグは非常に有用な物と考える。
【０００５】
本考案は上記課題に鑑みてなされたものであり、その主たる目的は、従来のような固定化され形の変えられない大きなキャリー付バッグではなく、持ち運び、折りたたみがきく、ローラー付のバッグで、かつボタンにより、持つ人の身長に合わせた使用が可能なローラー付携帯バッグを提供することにある。
【課題を解決するための手段】
【０００６】
上記目的を達成するため、本考案は、底面に４つのローラーが着脱可能に取り付けられた袋状のバッグ本体と、前記バッグ本体に着脱可能な２本の布ベルトとを備え、前記バッグ本体には、その正面及び背面の各々に、水平方向に対をなすボタンが高さ方向に一定の間隔で３対配列され、各々の前記布ベルトの各々の端部には、高さ方向に配列された３つの前記ボタンに対応する位置に、前記ボタンに係合する３つのボタンホールが形成され、かつ、前記４つのローラーは、前記バッグ本体の底部を前記正面と前記背面との間の中心線で折り畳んだ場合に、互いに重ならない位置に配置されているものである。
【考案の効果】
【０００７】
本考案によれば、バッグ本体の正面及び背面の各々には、左右２個ずつ、縦に３個、計６個のボタンが設けられ、各々の布ベルトの各々の端部には、３個のボタンに対応する位置に３個のボタンホールが設けられているため、ボタンとボタンホールとの位置を調整することにより、バッグを持つ人の身長に合わせた使用が可能となる。また、バッグ本体は軽い素材で形成されているため、容易に持ち運ぶことができる。更に、バッグ本体の底部に取り付けられるローラーは底部を中心線で折り畳んだ時に互いに重ならない位置に配置されているため、容易に折り畳むことができる。
【考案を実施するための最良の形態】
【０００８】
本考案は、上記の問題を解決すべく提案するものである。従来のような固定化され形の変えられない大きなキャリー付バッグではなく、持ち運び、折りたたみがきく、ローラー付のバッグで、かつボタンにより、持つ人の身長に合わせた使用とする。
【実施例】
【０００９】
本実施例のローラー付携帯バッグは、底面に４つのローラーが取り付けられた袋状のバッグ本体と、バッグ本体の正面及び背面の各々に、その両端部が取り付けられてバッグ本体を持ち運び可能にする２本の布ベルトとで構成される。以下、本実施例のローラー付携帯バッグの特徴部分について説明する。
【００１０】
［側面へのボタンと布ベルトの付与］
身長により調整が効くようにするために、図１に示すように、バッグ本体１の正面及び背面の各々に、一定の間隔で複数対のボタン２〜４を付与し、一方、図２に示すように、各々の布ベルト７のボタン２〜４に対応する位置にボタン２〜４に係合するボタンホール８〜１０を設け、図３〜図５に示すように、バッグ本体１と布ベルト７の位置の調整を出来るようにした。ボタンの調整により、ローラーを使用したい場合、足に沿っての歩行が可能となる。ボタンの位置の調節により、ショルダーサイズ、手持ちサイズにも調整可能である。又、ボタンを取り付ける位置に沿って強度の高い布ベルト５を縫い付けることにより、袋全体の強度も高くする。ボタンや布ベルトには様々の色を使用し、袋全体を女性向きの楽しい持ち物とする。
【００１１】
［底プレートとローラーの付与］
図７に示すように、バッグ本体１底部の底プレート１２には簡易なダンボール等の厚紙、薄いプラスチックの板を使用し、その部分にローラー１１をつける。当該ローラー１１は底プレート１２に穴を開け、ねじで固定する。また、図９に示すように底プレート１２を２枚重ね、ねじが露出しないようにしてもよい。当該ねじは容易に取り外し可能となっており、通常の手提げ袋としての使用も可能となっている。収納に関しては、ねじがついている場合でも除いた場合でも、ショルダーバッグへの収納は可能であるが、除いた場合は手のひらサイズの袋となり非常にコンパクトである。又、図８に示すように、ローラー１１がついたままでも、ローラー１１は交互に付けられているため、内側に折り込み、アメリカンフック１３でとめることにより、収納は容易である。
【００１２】
［表面部のポケット］
買い物により既に両手がふさがっている場合を想定し、手持ちのショルダーバッグから財布等を持ち出さずにすむよう、図１に示すように、キャリーバッグに小さいポケット６を付与する。このポケット６に小銭や切符の収納をすることにより、両手がふさがれていた場合の煩雑さを緩和することが可能となる。
【００１３】
［布の素材］
手軽で使用するということを最大のメルクマールとしている為、洗濯が容易に可能となるナイロンを利用する。
【００１４】
［収納時］
袋を折りたたんで収納する場合、肩にかける際利用した布ベルトを収納用のバンドとして利用できる形態とする。図１０に示すように、ローラーを内側に折り込んで収納し、図１１に示すように、布ベルト７のボタンホール８〜１０とボタン２〜４で固定することによりコンパクトで携帯に便利な形となる。
【産業上の利用可能性】
【００１５】
本考案は、バッグ本体と布ベルトとが分離したバッグに利用可能である。
【図面の簡単な説明】
【００１６】
【図１】本考案の一実施例に係るバッグ本体の構成を示す斜視図である。
【図２】本考案の一実施例に係る布ベルトの構成を示す図である。
【図３】本考案の一実施例に係るローラー付携帯バッグを示す斜視図であり、ショルダーサイズにした場合を示している。
【図４】本考案の一実施例に係るローラー付携帯バッグを示す斜視図であり、布ベルトを上部及び中央のボタンに取り付け、ローラーを使用して歩く長さにした場合を示している。
【図５】本考案の一実施例に係るローラー付携帯バッグを示す斜視図であり、布ベルトを全てのボタンに取り付け、手提げサイズにした場合を示している。
【図６】図３のローラー付携帯バッグを横方向から見た図である。
【図７】本考案の一実施例に係るローラー付携帯バッグの底部の構造を示す図である。
【図８】本考案の一実施例に係るローラー付携帯バッグの底面の構成を示す図である。
【図９】本考案の一実施例に係るローラー付携帯バッグの底部の構造を示す図である。
【図１０】本考案の一実施例に係るローラー付携帯バッグの底部を折り畳んだ状態を示す図である。
【図１１】本考案の一実施例に係るローラー付携帯バッグの底部を折り畳み、かつ、布ベルトをボタンで固定した状態を示す図である。
【符号の説明】
【００１７】
１  バッグ本体
２〜４  ボタン
５  布ベルト
６  ポケット
７  布ベルト
８〜１０  ボタンホール
１１  ローラー
１２  底プレート
１３  アメリカンフック
【手続補正３】
【補正対象書類名】図面
【補正対象項目名】全図
【補正方法】変更
【補正の内容】
【図１】
0003125783.tif 000015
【図２】
0003125783.tif 000016
【図３】
0003125783.tif 000017
【図４】
0003125783.tif 000018
【図５】
0003125783.tif 000019
【図６】
0003125783.tif 000020
【図７】
0003125783.tif 000021
【図８】
0003125783.tif 000022
【図９】
0003125783.tif 000023
【図１０】
0003125783.tif 000024
【図１１】
0003125783.tif 000025